(57)【特許請求の範囲】
【請求項１】
ジェットエンジンの騒音を減衰させるためのシステムであって、
入口ファンダクト外側壁（２２）に近傍の気流速度を前記入口ファンダクト外側壁に近傍の作動エンジン周囲入口空気流（１２）の通常速度よりも大きい割合まで高めるための流体ダクト（８０）を備え、
前記流体ダクトが、前記入口ファンダクト外側壁に開口するスロットを備える第１の端部と、本体（８６）と、ファンロータ（４２）の後方に開口するスロットを備える第２の端部とを有し、
前記第２の端部が前記本体より幅が狭く、前記第２の端部が急勾配に幅を拡張して前記本体につながるような構造とされることを特徴とするシステム。
【請求項２】
スロットを備える前記第１の端部が、途切れのないスロット及び分割スロットのうちの１つを含むことを特徴とする請求項１に記載のシステム。
【請求項３】
スロットを備える前記第１の端部が、前記入口ファンダクト外側壁に沿って円周方向に配置されることを特徴とする請求項１に記載のシステム。
【請求項４】
前記第２の端部のスロットは、前記ジェットエンジンの低圧圧縮器（２６）に対して開口する抽気ポート（３２）に対して開口することを特徴とする、請求項１乃至３のいずれか１項記載のシステム。
【請求項５】
前記流体ダクト（８０）は、前記ジェットエンジンのファンケーシング内に配置されることを特徴とする、請求項１乃至４のいずれか１項記載のシステム。
【発明の詳細な説明】
【技術分野】
【０００１】
本発明は、ジェットエンジン騒音に関し、より詳細には、流体制御を利用するジェットエンジン騒音の減衰に関する。
【背景技術】
【０００２】
航空機エンジン騒音は、人口の多い区域及び騒音制限環境において重大な問題である。離陸時及び着陸時に航空機エンジンによって発生する騒音は、世界の大部分において国民全体の関心事である。騒音の環境に対する悪影響により、多くの国は航空機に対し厳しい騒音放出基準を課している。米国においては、連邦航空局が現在使用されている航空機に対して厳しい運用規制を設けた厳重な騒音放出基準を課している。これらの規制は、経済的ペナルティ及びスケジュール規制から航空機の使用の全面的禁止にまで及ぶ。これらの規制は、航空会社が現在使用している特定の種類の航空機の耐用年数を大幅に短縮させるので、騒音を減衰させる効果的で効率的な方法が必要である。
【０００３】
今日使用されている航空機は一般に、ターボファンエンジンを使用している。ターボファンエンジンは、ファンによりナセルダクトの前方に空気を引き込み、この空気を高速で後方に押し出す。空気を強制的に押し出すファンブレードが騒音をひき起こすので、このファンは騒音発生源である。ファンを通過すると、空気はファンダクトとコアダクトの２つの経路に分割される。ファンの下流側では、回転するファンにより流れが旋回している。この旋回は、空気がノズルを出てステータにより整流される前に運動量の損失を生じる。ファンの流れからの空気の伴流がステータに向かって当たるので、これらのステータは騒音の大きな発生源である。この衝突は、ブレード通過の割合で発生し、ブレード通過周波数の音を発生させる。非均一性及び非直線性により、多くのより高周波数の音が生成されることになる。これらの音には、ある種のエンジンによって発生された鋭い音響と結合する場合が多い。ファン／ステータ相互作用は、固有音響を越える音を生成する。ファンの流れの不安定性（乱流）はステータと相互作用して広帯域の騒音を生成する。これはゴロゴロ音として聞こえる場合が多い。コアダクトを通過する空気は、圧縮器ステージで更に圧縮される。圧縮された空気は、燃料と混合されて燃焼される。燃焼は騒音の別の発生源である。高温高圧の燃焼空気はタービン内に送られる。タービンは、傾向として、一連の交互にされたロータ及びステータと同じものと見られ、そのように動作するので、タービンは騒音の別の発生源である。コアダクト及びファンダクトの流れは、航空機の後部外側で空気中に排出される。周辺空気とのジェット排気の相互作用は、広帯域の騒音を発生する。
【０００４】
航空機エンジン騒音を低減させる公知の技法には、騒音吸収性アコースティックライナが含まれ、これは航空機エンジンナセル及びエンジンを囲む区域の内側を覆う。吸音性ライナは、無孔シートと少量の開口表面積を有する有孔シートとの間に挟まれたハニカムコアを含む種々の構成を用いる。通常、エンジンの入口及び出口に取り付けられる同調共振器は、エンジンの外側に放射された離散的な音のレベルを低下する別の騒音制御技法である。ファン先端速度の低下は別の騒音低減技法であるが、ファン性能に対して制限を付加する。エンジン騒音を低減する他の技法は、ロータ及びステータの再スペーシングのような発生源メカニズムを含む。しかしながら、これらの技法はエンジンの再設計を必要とし、エンジン性能に顕著に影響する可能性がある。
【０００５】
現在までの多くのエンジンの進歩は、高バイパス比のターボファンエンジンの開発と関連している。高バイパスエンジンのジェット速度は低バイパス又はゼロバイパスエンジンよりも低く、このエンジンに関連する排気騒音が低減される。しかしながら、エンジン入口から放射されるファン及び圧縮器騒音には依然として問題がある。実際に、タービンエンジンがターボジェットからターボファンエンジンへと発展するにつれて、ファン騒音は全エンジン騒音において益々大きな要因となってきている。現在使用されている高バイパス比エンジンの場合、ファン騒音が進入時及び離陸時の全騒音の大半を占める。より詳細には、進入時にはファン入口騒音が全騒音の主要な要因であり、離陸時にはファン排気騒音が支配的である。アコースティック壁処置は、ファン排気騒音の低減よりもファン入口騒音の低減においてより効果が少なくなっている。
【特許文献１】米国特許６，２０５，１３６号公報
【発明の開示】
【課題を解決するための手段】
【０００６】
アコースティックライナの寄与は、主にファン排気騒音を減衰させることにあり、この場合伝搬モードはより高次であり、且つライナが最も効果的となるエンジン軸線から離れる方向に伝搬する。ファン入口においては、モードは、ダクトの壁に沿って残りの空気流よりもゆっくり移動する空気の薄膜である境界層に抗して伝搬しており、エンジン軸線に向かって屈折して、ライナの有効性が最小になる。つまり、吸収性ライナは高次モードの騒音の減衰には有効であるが、低次モードの騒音の減衰には有効ではなく、すなわちこれらの騒音の波面はダクト壁に対して小さな角度変位でダクトに沿って移動する。小さな角度で伝搬する低次モードは、ダクトの所定長内で僅かな回数しかライナ−に衝突しない。
【０００７】
また、境界層内の流体は、自由周囲入口空気流よりもゆっくり移動し、自由周囲入口空気流と同じ質量流量で通過することができない。その結果、境界層内部の流体がより遅く移動することによって、外側の流れはある量（変位厚さ）だけ外側方向に変位する。小さな角度での音波伝搬は、外側の流れが外方向に変位するので、ライナに衝突する可能性が少ない。更に、入口ファンダクトはより短い長さに構成されており、且つ種々の形状が導入されるので、アコースティックライナの効果が変化し、入口流れと関連する境界層を縮小することが騒音の減衰にはより重要となる。
【０００８】
本発明の上述の態様及び付随する利点の多くは、添付図面と共に以下の詳細な説明を参照することによってより容易に理解されるようになろう。
【発明を実施するための最良の形態】
【０００９】
例示的な実施形態を特定の構成に関して説明する。添付の請求項の範囲内にありながら、種々の変更及び修正を行い得ることは当業者であれば理解されるであろう。更に、周知の素子、デバイス、構成要素、方法、プロセス段階及び同様のものは、本発明を不明瞭にすることを避けるため詳細には説明しない場合がある。
【００１０】
本明細書ではジェットエンジン騒音を減衰させるための方法及びシステムを説明する。説明及び請求項の特徴は、種々の種類のエンジンに適用することができ、これらのエンジンには、ターボジェット、ターボファン、ターボプロペラ、ターボシャフト、ラムジェット、ロケットジェット、パルスジェット、タービン、ガスタービン、蒸気タービン、商用エンジン、企業用エンジン、軍用エンジン、船舶用エンジンなどが含まれる。本明細書で用いられる「ジェットエンジン」は、航空機エンジンに加えてこれ以外のエンジンを含む。１つの実施形態において、入口ファンダクト及びバイパス流ダクトからの騒音を減衰させる方法及びシステムを説明する。１つの実施形態において、入口ファンダクト外側壁に近傍の気流速度が、入口ファンダクトの外側壁に近傍の周囲入口空気流の通常速度よりも大きな割合まで高められる。ファンダクトの外側壁に近傍の境界層及び関連する乱流は、低減又は除去される。アコースティックライナ内への音の屈折は最適化され、入口ファンダクトの音響はアコースティックライナに吸収される。別の実施形態において、入口ファンダクト及びバイパス流ダクトからの音響を減衰させるシステムを提供する流体ダクトを説明する。１つの態様において、この説明の特徴部分（例えば、壁に近傍の流体速度を高めること）は、コア空気流の流れ、圧縮器、燃焼、タービン、ミキサー、及びノズルを含むジェットエンジンの他の部分にも適用することができる。
【００１１】
同じ参照数字が各図全体にわたって同じ要素を表す図面を参照すると、図１にはターボファンエンジンの一般的な配置が示されている。周囲入口空気流１２がターボファンエンジン１０の入口ファンダクト１４に入ると、空気流１２は、ファンスピナ１６の傍を通り、ファンロータ４２を通過し、ノーズスプリッタによって１次（コア）空気流の流れ２８とバイパス空気流の流れ３０とに分割される。１次空気流の流れ２８は、低圧圧縮器２６及び高圧圧縮器３４を通過して流れ、これらの圧縮器は空気を高圧まで圧縮する。圧縮された空気は、空気流を整流しスワール運動又は乱流を取り除くための案内羽根、そこで空気が拡散されるディフューザ、及び滑らかな流れの状態に空気を分散する圧縮器マニホルドを通過する。次いで、１次空気流の流れは、燃焼チャンバ３６内で燃料と混合され、この混合物が点火されて燃焼する。得られた燃焼生成物は、タービン３８を通過して流れ、該タービン３８が燃焼ガスからエネルギーを取り出し、タービンシャフト４０によりファンロータ４２、低圧圧縮器２６、及び高圧圧縮器３４を回転させる。排気コーン１８を通過するガスは、排気ノズル（図示せず）を通って膨張し推力を生成する。１次空気流の流れ２８は、エンジンに流入したときよりも高速でエンジンから流出する。バイパス空気流の流れ３０は、ファンロータ４２を通過し、コアエンジンと同心の環状ダクトであるバイパスダクト外側壁２７の傍を流れ、ファン排気出口案内羽根（ＯＧＶ）２５を通って排気ノズルを通過して膨張し、付加的な推力を発生する。ターボファンエンジン１０は、エンジン軸線４６で表されるほぼ長手方向に延びる中心線を有する。
【００１２】
また、図１に示されるように、流体ダクト８０は、ファンダクト外側壁２２にある開口からファンロータ４２の下流側で且つファン排気ＯＧＶ２５の上流側にある開口まで延びる。本明細書でより完全に説明されるように、流体ダクト８０は、入口ファンダクト１４内の音響及びバイパス空気流の流れ３０からの音響を減衰させる方法及びシステムを提供する。
【００１３】
本明細書で使用される、「上流側」及び「下流側」は、一般に、周囲空気入口及びエンジンの背面のエンジン排気口に対するジェットエンジン内での位置をいう。例えば、入口ファンは燃焼チャンバの上流側にある。同様に、用語「前方」及び「後方」は、一般に、周囲空気入口及びエンジン排気ノズルに対する位置をいう。更に、本明細書で使用される、「境界層及び関連する乱流の低減」とは、境界層、変位厚さ、摩擦、及び他の乱流をあるレベルまで或いは取り除くまで低減することを意味することができる。また、本明細書で述べられる用語「通常速度」は、一般に、同様の航空機によって維持される、入口ファンダクト外側壁に近傍の（或いはバイパスダクト外側壁に近傍の）気流速度を意味し、境界層の影響、変位厚さ、摩擦及び他の乱流を含む上述のようなこれらの影響を有する。
【００１４】
図２には、飛行中に航空機（図示せず）に動力を供給するターボファン・ガスタービンエンジン１０が示される。ターボファンエンジン１０は通常、適切な取付具により航空機の翼、胴体、又は尾部に取り付けられることになる。詳細には、ターボファンエンジン１０は、従来型のファンロータ４２を囲むナセル２０を含み、該ファンロータは出力タービン４０によって駆動される、円周方向に間隔を置いて配置された複数のファンブレードを含む。ナセル２０は、ファンダクト外側壁２２を有するファンダクトを画定し、ファンダクトは軸方向中心線のエンジン軸線４６に沿ってファンロータ４２を通って下流側に流れる周囲入口空気流を受ける。ファンロータ４２は、ナセル２０の内部で回転し、当業者によって理解できるように、主としてブレード通過周波数及びその倍数での離散的音調騒音を発生する。ファンロータ４２の作動中、とりわけファンブレードが遷音速及び超音速に到達する航空機の離陸の際に、騒音がファンロータから発生し、ファンダクトから周囲環境に伝搬する。アコースティックライナ４４は、ファンブレード通過周波数（ＢＰＦ）の音及びＢＰＦ音の第１高調波の制御に役立つ。アコースティックライナ４４は音波を吸収し、ダクト終端部から放射される音波のレベルを低下させる。ナセル２０内部で発生した騒音を減衰するために、吸収性のアコースティックライナ４４が、ファンロータ４２の上流側のファンダクト外側壁２２の半径方向内側表面上に配置される。アコースティックライナ４４は、ファンダクト、すなわちファンダクト外側壁２２の内側表面を取り巻く環状部材である。アコースティックライナ４４がファンロータ４２の上流側のファンダクトの前方部分に位置付けられるように示されているが、アコースティックライナ４４は、ターボファンエンジン１０全体にわたる種々のダクト又はケーシングなどの騒音抑制に好適な他のエンジン位置に配置することができる。
【００１５】
上述のようなアコースティックライナの限界により、流体ダクト８０が騒音減衰に有用である。流体ダクト８０は、ファンダクト外側壁２２に近傍の気流速度を高め、その結果、境界層に抗して伝搬する音響モードを低減又は除去し、且つ音響モードがエンジン軸線４６に向かって屈折しないようにして、アコースティックライナの有効性が最大化される。従って、外部流れは、もはや外方に向かってある量（変位厚さ）を変位することはなく、低角度で伝搬する音響がアコースティックライナに衝突する可能性がより高くなる。流体ダクト８０により、低次モード騒音、すなわち騒音の波面がファンダクト外側壁２２に対して低い変位角度でファンダクト外側壁２２に沿って進む騒音の減衰において吸収性ライナ４４がより有効なものとなる可能性がある。流体ダクト８０により、低次モードがより鋭い角度で伝搬し、且つ所定長のダクト内でアコースティックライナ４４により多くの回数で衝突することができる。
【００１６】
図３はエンジンダクト内での音波伝搬を示す。図３では音波が左から右に移動するように示されているが、音波は、下流側（左から右に）にではなく、ファンから周囲入口空気流に向かって上流側に実質的に伝搬することは理解されるべきである。音波面５２、５４及び５６は、ファンダクト外側壁２２に対して種々の角度を示している。音波面５２はファンダクト外側壁２２に対して９０度の角度を有するものとして示され、音波面５４はより小さい角度θ１を示し、音波面５６は更に小さい角度θ２を示す。音波面５６はアコースティックライナ５６によって吸収されるが、音波面５４は境界層５０によって幾分ファンダクト外側壁２２から離れる方向に屈折する。境界層５０によって影響を受けてファンダクト２２から離れる方向に屈折する角度θ１に加え、他の角度が存在することは理解されるべきである。１つの実施形態において、本明細書に説明されるように、流体ダクト８０は音波面５４の屈折及び同様にして屈折された音波を低減又は除去し、その結果、音波面５４はアコースティックライナによって吸収されるようになる。１つの態様において、本明細書で用いられる「アコースティックライナ（４４）内への入口音響の屈折及び吸収の最適化」とは、一般に、例えば音波面５４の屈折を低減又は除去して、その結果音波面５４がアコースティックライナ４４によって吸収されるようになることを意味する。
【００１７】
１つの実施形態において、入口ファンダクト外側壁２２に近傍の気流速度は、入口ファンダクト外側壁２２に近傍の作動エンジン周囲入口空気流の通常速度よりも大きな割合まで高められる。気流速度は、入口ファンダクト外側壁２２の近傍で実質的にファンロータ４２の後方に向けられた噴射空気を用いて高められ、この噴射空気は入口周囲空気とは異なるものである。噴射空気は、円周方向に均一な状態で軸方向に広がる。１つの実施形態において、入口ファンダクト外側壁２２に近傍の噴射空気は、入口ファンダクト外側壁２２に近傍で気流速度スパイクをひき起こし、この速度は入口空気流１２のより中心部分の速度と次第に調和する。１つの態様において、ファンダクト外側壁２２に近傍の境界層及び関連する乱流は、低減され又は除去される。アコースティックライナ４４内への音響の屈折は最適化され、入口音は入口ファンダクト外側壁２２に沿ってアコースティックライナ４４内に吸収される。１つの実施例において、噴射空気は周囲入口空気の１パーセントから２パーセントの範囲内の質量流量で噴射される。噴射空気は、１又は２パーセントを越えるか、或いはこれよりも小さい質量流量で噴射可能であることは理解されるべきである。空気は、バイパス空気流の流れ３０及びコア空気流の流れ２８のうちの少なくとも１つから引き出される。この実施形態においては、空気はファンロータ４２の下流側且つファン排気ＯＧＶ２５の上流側で引き出される。噴射空気を自動的に吸込みするように圧力差が生成され、ここでは入口ファンダクト１４が第１の可変圧力を有し、バイパス空気流の流れ３０が第２の可変圧力を有し、コア空気流が第３の可変圧力を有する。
【００１８】
別の実施形態においては、吸込力（噴射空気ではなく）が入口ファンダクト外側壁２２に近傍の周囲入口空気に印加される。１つの実施形態において、ファンダクト外側壁２２の近傍の境界層及び関連する乱流は、低減又は除去される。１つの実施例においては、吸込力は、周囲入口空気流の１パーセントから２パーセントの範囲内の質量流量の周囲入口空気を引き出す。別の実施例においては、吸込力は、周囲入口空気流の１パーセントから２パーセント以外の範囲内の質量流量の周囲入口空気を引き出す。１又は２パーセントを越えるか、或いはこれよりも小さい質量流量を引き出せることは理解されるべきである。吸込力が設定されて、空気はファン排気ＯＧＶ２５の後方に噴射される。
【００１９】
図４を参照すると、１つの実施形態において、空気は流体ダクト８０を通って流れ、入口ファンダクト外側壁２２に近傍の気流速度を入口ファンダクト外側壁２２に近傍の作動エンジン周囲入口空気流の通常速度よりも大きい割合にまで高める。流体ダクト８０は、入口ファンダクト外側壁２２に開口しているスロットを備える第１の端部８２、及び本体８６、及び抽気ポート３２に対して開口するスロットを備える第２の端部８４を有する。別の実施形態においては、第２の端部８４はファンロータ４２の後方に開口する。１つの実施形態においては、抽気ポート３２は低圧圧縮器２６に対して開口する。流体ダクト８０は、周囲入口空気流１２の１から２パーセントの範囲内の空気の質量流量を可能とする寸法の構造とされる。流体ダクト８０は、周囲入口空気流１２の１から２パーセント以外の範囲内の空気の質量流量を可能とする寸法の構造にし得ることは理解されるべきである。スロットを有する第１の端部８２は、途切れのないスロット、分割スロット、或いは離散的孔のうちの１つである。１つの実施形態においては、流体ダクト８０は、プレナムを備える構造とされる。１つの実施形態において、プレナムから離散孔にまで延びるように管体が利用される。スロットを有する第１の端部８２は、入口ファンダクト外側壁２２に沿って円周方向に配置される。第２の端部８４は、本体８６よりも幅が狭く、且つ急勾配に幅を拡張して本体８６につながるような構造とされる。また、第１の端部幅９０及び第２の端部幅９２は、流体流れの質量流量を制御するように構成することができる。第１の端部８２、第２の端部８４、及び本体８６は、環状形の構造とされる。流体ダクト８０は、例えばナセル２０であるファン・ケーシング内に実質的に配置される。
【００２０】
音響減衰に対する境界層屈折の影響が下流側排気波伝搬におけるよりも入口ファンダクト内での上流側波伝搬においてより大きいことは、当業者であれば理解するであろう。また、剪断流も、排出状態に対するよりも入口音響減衰に対する影響が大きいことが知られている。従って、空気の噴射（吸込みではなく）がより音響を減衰させ易いことが分っている場合、１つの実施形態において、図５に示されるように、空気がファンダクト外側壁２２に近傍に噴射され、吸込み力はファンロータ４２の下流側の乱流流体に対して加えられる。
【００２１】
周囲空気入口においては、音波は周囲入口空気流と反対方向に伝搬し、一方、排気状態では、音波は空気流の方向に伝搬する。また、速度勾配は、下流側伝搬ではダクト壁に向かって音響を屈折させ、上流側伝搬ではダクト壁から離れる方向に音響を屈折させる。これに応じて流体ダクト８０の第１端部８２が位置決めされ、且つこれらの概念を考慮して空気が噴射される。また、流体ダクト８０は単一のダクトとして示されているが、１つより多いダクト又は多数のダクトが使用できることは理解されるべきである。更に、１つの実施形態において、閉ループ構成及び流体ダクト８０の作動は、離陸時及び進入時にのみ、どのようなエンジンサイクル衝撃又は流入擾乱をも最小化する。
【００２２】
図６は、入口ファンダクト１４、及びファンロータ４２とファン排気ＯＧＶ２５との間に加えられている吸込力が示される。この実施形態においては、空気はファン排気ＯＧＶの後方に噴射される。１つの実施形態においては、空気はバイパスダクト外側壁２７に近傍に噴射され、音響減衰をもたらす。入口ファンダクト１４、及びファンロータ４２とファン排気ＯＧＶ２５との間に対する吸込力は、気流速度を高め、乱流を低減することによって、更に音響を減衰することができる。別の実施形態においては、空気は、コア空気流の流れ２８内部の抽気ポート３２から吸込まれ、ファン排気ＯＧＶ２５の後方への噴射空気が更に供給される。
【００２３】
図７を参照すると、航空機滑走路近くの地上聴音基準の標準ポジショニングが示される。地上聴音ステーションは、３つの規制騒音証明基準位置である、側方（Ｓ／Ｌ）、コミュニティ（Ｃ／Ｂ）（離陸、中心線、或いはカットバック位置としても知られている）及び進入（ＡＰＰ）を含む。側方騒音は、滑走路に平行な側方基準に沿って観測された最大騒音である。コミュニティ騒音は、滑走路に沿ったこれを越えるコミュニティ基準に沿って観測された最大騒音である。進入騒音は、滑走路の手前の進入基準に沿って観測された最大騒音である。空対地大気効果、球状拡散、及び他の伝搬補正は、これらの位置での航空機騒音を求める際に計算される。ターボファンエンジン業界においては、人への騒音の影響はデシベル（ｄＢ）によって表わされ、これは騒音強度に関するベル単位系に基づく。
【００２４】
入口での騒音の場合、１つの実施形態においては、ピーク処理吸収が発生する周波数で最大６ｄＢまでの騒音低減が得られる。ファンロータ４２の下流側の騒音の場合、１つの実施形態において、本発明は最大３ｄＢまでの騒音低減が得られるが、これは全騒音に対するファン騒音の寄与の優占度に左右される。別の実施形態において、これらの騒音低減レベルを上回ることができる点は理解されるべきである。
【００２５】
上述の説明のより詳細な理解は、以下の特定の実施例を参照することによって得ることができるが、これらは例証の目的で提供され、限定を意図するものではない。概念的な実施例は、図８に示すような試験対象のスケールモデルに対応する。入口ファンダクトの形状寸法が提供され、図５及び図６に類似する構造が示されている。幾つかの場合、矢印はインチ（”）で測定された半径（Ｒ）を表している。
【００２６】
空気噴射／空気入口スロット幅は質量流量に影響を及ぼす。ある場合では、本体幅８８が０．５インチ幅、第２の端部幅９２が０．３インチ、及び第１の端部幅９０が０．０７５インチである。表１は、側方（Ｓ／Ｌ）、カットバック（Ｃ／Ｂ）及び進入（ＡＰＰ）を含む３つの状態を示す。質量流量（Ｗｃｏｒｒ）、ファン圧力比（ＦＰＲ）、ファンの角速度（ωｆａｎ）、スロート入口のマッハ数（Ｔｈｒｏａｔ  Ｉｎｌｅｔ  Ｍ）、及びロータの後方静圧（Ｐｓ  ａｆｔ  ｒｏｔｏｒ）が全ての状態について示される。１つの実施形態において、表１及び表２の全てのデータについて、進入時の非圧縮流れ、０．５インチ無損失プレナム、吸込スロットでの損失を評価するための急拡大、全ての状態が周囲の標準状態に等しい入口スロート、１つの効率を有するファンロータ、入口スロート近傍に配置された噴射スロット、及び環状スロット並びに環状プレナムを含んで仮定される。
【００２７】
【表１】
0004718815.tif 000002
【００２８】
表２は、自動吸込み式の吸込み及び吹き込みスキームの概念設計の結果を示し、これには、側方状態、カットバック状態、及び進入状態においての、噴射流れ（Ｉｎｊ  Ｗ）、吸込みスロット速度（ｓｕｃｔ  ｓｌｏｔ  Ｖ）、プレナム速度（ｐｌｅｎｕｍ  Ｖ）、噴射全圧（Ｉｎｊ  Ｐ０）、噴射マッハ数（Ｉｎｊ  Ｗ）、スロット流出マッハ数と主流マッハ数の比率（ＤＭ／Ｍ％）、及びスロット幅に関する決定が含まれる。この実施例において、吸込み全圧はファンロータの下流側の静圧に等しいと仮定される。
【００２９】
【表２】
0004718815.tif 000003
【００３０】
１つの実施例において、噴射の全圧がロータの下流側の全圧に等しいと仮定され（あたかもスクープを用いてファンロータの下流側の吸い込み空気を集めるように）且つスロット、プレナム及びパイプによる損失が無視される場合に、高性能なスキームが得られる。表３には、側方状態、カットバック状態及び進入状態においての、質量流量（Ｗｃｏｒｒ）、ファン圧力比（ＦＰＲ）、スロート入口のマッハ数（Ｔｈｒｏａｔ  Ｉｎｌｅｔ  Ｍ）、噴射流量百分率（Ｉｎｊ  Ｗ％）、噴射流量（Ｉｎｊ  Ｗ  ｌｂｓ／ｓ）、噴射マッハ数（Ｉｎｊ  Ｍ）、噴射面積（Ｉｎｊ  ａｒｅａ  ｉｎ２）、及びスロット幅が示される。
【００３１】
【表３】
0004718815.tif 000004
【００３２】
以上のことから分かるように、表２における噴射流量は表３におけるものと同じである。噴射に利用できる全圧が表３で要約された実施例の場合よりも大きいので、表３における噴射マッハ数は表２における噴射マッハ数よりも大きい。従って、より大きい噴射マッハ数の場合、質量流量の同じ量を通過させるスロットは、より小さい面積が必要とされる。表３におけるスロット幅は、表２におけるスロット幅よりも狭い。
【００３３】
図９、図１０、及び図１１は、１つの実施形態におけるガスタービンエンジンの騒音を減衰する上述の方法を示すブロックダイアグラムである。
【００３４】
例示的な実施形態が開示されたが、添付の請求項によって定義される本発明の精神及び範囲内に留まりながら、この開示された実施形態に対して修正及び変更を行うことができる。例えば、噴射空気は１及び２パーセントよりも多いか又は少ない質量流量で噴射することができる。更に、流体ダクト８０の形状、方向、及び位置決めは本明細書で説明されたものから変更することができる。
【００３５】
なお、特許請求の範囲に記載された符号は、理解容易のためであってなんら発明の技術的範囲を実施例に限縮するものではない。
【図面の簡単な説明】
【００３６】
【図１】本発明の実施形態における流体ダクトを含むターボファンエンジンの概略側面図。
【図２】本発明の実施形態における、アコースティックライナ及び流体ダクトを有するナセルを示すために一部分が切断されたターボファン航空機ガスタービンエンジンの透視図。
【図３】ジェットエンジンダクト内の音波伝搬を示す概略側面図。
【図４】本発明の実施形態における流体ダクトを含むタービンエンジンの一部の概略側面断面図。
【図５】本発明の実施形態における吹き込み及び吸込みを示すタービンエンジンの一部の概略側面断面図。
【図６】本発明の実施形態における吹き込み及び吸込みを示すタービンエンジンの一部の別の概略側面断面図。
【図７】航空機滑走路近くの地上聴音基準を示す図。
【図８】本発明の実施形態における入口ファンダクトのスケールモデルの形状寸法を示すタービンエンジンの一部の概略側面断面図。
【図９】１つの実施形態におけるジェットエンジン騒音の減衰方法のブロックダイアグラム。
【図１０】１つの実施形態におけるジェットエンジン騒音の減衰方法の別のブロックダイアグラム。
【図１１】１つの実施形態におけるジェットエンジン騒音の減衰方法の別のブロックダイアグラム。
【符号の説明】
【００３７】
１２  周囲入口空気流
２０  ナセル
２２  入口ファンダクト外側壁
４０  出力タービン
４２  ファンロータ
４４  アコースティックライナ
４６  エンジン軸線
８０  流体ダクト
８２  第１の端部
【図１】
0004718815.tif 000005
【図２】
0004718815.tif 000006
【図３】
0004718815.tif 000007
【図４】
0004718815.tif 000008
【図５】
0004718815.tif 000009
【図６】
0004718815.tif 000010
【図７】
0004718815.tif 000011
【図８】
0004718815.tif 000012
【図９】
0004718815.tif 000013
【図１０】
0004718815.tif 000014
【図１１】
0004718815.tif 000015